(57)【要約】【課題】厚みのある携行品を内ポケットに入れると、シャツの胸回りがかさばって着心地が良くないとか、体裁が悪化するといった欠点がないのはもとより、外ポケットの位置と無関係に内ポケットを設けることができ、しかも内ポケットの開口部がシャツの表面に露出することのない内ポケット付シャツを提供する。【解決手段】シャツ本体２の左右に分割された前身頃３、４のうちの少なくとも一方の裏側下部に、シャツ本体２の裏側に開口する少なくとも１つの内ポケット７が設けられている。前記内ポケット７は、その開口部７１がシャツ本体の上下寸法の１／２以下、望ましくは１／３以下の領域内に位置するのがよい。【選択図】図２
0003141705.tif 000002
【実用新案登録請求の範囲】
【請求項１】
シャツ本体の左右に分割された前身頃のうちの少なくとも一方の前身頃の裏側下部に、シャツ本体の裏側に開口する少なくとも１つの内ポケットが設けられていることを特徴とする内ポケット付シャツ。
【請求項２】
前記内ポケットは、その開口部がシャツ本体の上下寸法の１／２以下の領域内に位置する態様で設けられている請求項１に記載の内ポケット付シャツ。
【請求項３】
内ポケットは、その開口部がシャツ本体の上下寸法の１／３以下の領域内に位置する態様で設けられている請求項１に記載の内ポケット付シャツ。
【請求項４】
内ポケットの下端部は前身頃の裾近傍に位置している請求項１〜３のいずれかに記載の内ポケット付シャツ。
【請求項５】
前記内ポケットを構成する布片は、シャツ本体よりも高強度である請求項１〜４のいずれかに記載の内ポケット付シャツ。
【請求項６】
前記布片がアラミド繊維により形成されている請求項５に記載の内ポケット付シャツ。
【請求項７】
前記内ポケットは、左右の幅よりも上下の長さが長い深型に設定されている請求項１〜６のいずれかに記載の内ポケット付シャツ。
【請求項８】
前記内ポケットの開口部は開閉自在となされている請求項１〜７のいずれかに記載の内ポケット付シャツ。
【請求項９】
前記内ポケットは、左右の前身頃の均等位置にそれぞれ設けられている請求項１〜８のいずれかに記載の内ポケット付シャツ。
【請求項１０】
前記左右の前身頃の上下方向の中間位置を結着具により結着解除自在となされている請求項１〜９のいずれかに記載の内ポケット付シャツ。
【考案の詳細な説明】
【技術分野】
【０００１】
この考案は、シャツ本体の前身頃が左右に分割されている内ポケット付のシャツに関する。
【背景技術】
【０００２】
例えば、ワイシャツ等の前身頃が左右に分割されているシャツには、周知のように、外ポケットが設けられている場合が多いが、カジュアル風に着るシャツでは、財布、手帳、キーホルダー等の携行品を収納できる内ポケットが設けられていると、セカンドバッグやポーチ等を携行することなく手ぶらで出かけられるため便利である。また、内ポケットが設けられていると、例えば旅行先等において、外側から見えることなく携行品を収容することができ、安全性の面でも望ましい。
【０００３】
そこで、従来より、内ポケット付のシャツが種々提案されている（例えば特許文献１〜４参照）。
【０００４】
しかし、これらの内ポケット付のシャツは、いずれも内ポケットが前身頃の裏側上部に設けられている。このため、厚みのある携行品を内ポケットに入れると、シャツの胸回りがかさばって着心地が良くないとか、体裁が悪化するといった欠点があった。
【０００５】
このような欠点を解消する内ポケット付シャツとして、前身頃の裏側下部に内ポケットが設けられたものが提案されている（特許文献５参照）。
【特許文献１】実開昭５８−３８７０１号公報
【特許文献２】実公平１−１８５６２号公報
【特許文献３】特開平５−１７９５０１号公報
【特許文献４】特開２００３−１１３５１７号公報
【特許文献５】特開平９−７８３２２号公報
【考案の開示】
【考案が解決しようとする課題】
【０００６】
しかしながら、前記特許文献５に記載されたシャツは、内ポケットの本体部分は前身頃の裏側に存在しているものの、安全性等の観点から内ポケットの開口部はシャツの外側から見えにくくするため外ポケット内に開口しており、このため内ポケットは外ポケット部と同じ位置にしか設けることができず、内ポケットの位置が制限されるという別の問題がある。
【０００７】
勿論、外ポケットを無視して内ポケットを設けることも可能であるが、この場合は内ポケットの開口部がシャツの表面にそのまま露出することになり、ポケットの位置を容易に判断できるため安全上問題であるとか、見栄えも良くないという新たな問題が派生する。
【０００８】
この考案は、このような実情に鑑みてなされたものであって、厚みのある携行品を内ポケットに入れると、シャツの胸回りがかさばって着心地が良くないとか、体裁が悪化するといった欠点がないのはもとより、外ポケットの位置と無関係に内ポケットを設けることができ、しかも内ポケットの開口部がシャツの表面に露出することのない内ポケット付シャツを提供することを課題とする。
【課題を解決するための手段】
【０００９】
上記課題は、以下の手段によって解決される。
（１）シャツ本体の左右に分割された前身頃のうちの少なくとも一方の前身頃の裏側下部に、シャツ本体の裏側に開口する少なくとも１つの内ポケットが設けられていることを特徴とする内ポケット付シャツ。
（２）前記内ポケットは、その開口部がシャツ本体の上下寸法の１／２以下の領域内に位置する態様で設けられている前項１に記載の内ポケット付シャツ。
（３）内ポケットは、その開口部がシャツ本体の上下寸法の１／３以下の領域内に位置する態様で設けられている前項１に記載の内ポケット付シャツ。
（４）内ポケットの下端部は前身頃の裾近傍に位置している前項１〜３のいずれかに記載の内ポケット付シャツ。
（５）前記内ポケットを構成する布片は、シャツ本体よりも高強度である前項１〜４のいずれかに記載の内ポケット付シャツ。
（６）前記布片がアラミド繊維により形成されている前項５に記載の内ポケット付シャツ。
（７）前記内ポケットは、左右の幅よりも上下の長さが長い深型に設定されている前項１〜６のいずれかに記載の内ポケット付シャツ。
（８）前記内ポケットの開口部は開閉自在となされている前項１〜７のいずれかに記載の内ポケット付シャツ。
（９）前記内ポケットは、左右の前身頃の均等位置にそれぞれ設けられている前項１〜８のいずれかに記載の内ポケット付シャツ。
（１０）前記左右の前身頃の上下方向の中間位置を結着具により結着解除自在となされている前項１〜９のいずれかに記載の内ポケット付シャツ。
【考案の効果】
【００１０】
前項（１）に記載の考案によれば、内ポケットは、シャツ本体の左右に分割された前身頃のうちの少なくとも一方の前身頃の裏側下部に設けられているから、厚みのある携行品を内ポケットに入れても、シャツの胸回りがかさばって着心地が良くないという不都合がなく、体裁が悪化する恐れはない。しかも、内ポケットに収容した携行品の重量により、シャツ全体が下方へ引っ張られるから、見栄えも良くなる。しかも、内ポケットの開口部は、シャツ本体の裏側に開口しているから、シャツの外側に内ポケットの開口部が露出せず、このため内ポケットの位置を外ポケットの位置とは無関係に設定することができ、内ポケットの形成位置に関して選択の幅を拡げることができる。
【００１１】
前項（２）に記載の考案によれば、内ポケットは、その開口部がシャツ本体の上下寸法の１／２以下の領域内に位置する態様で設けられているから、前記（１）の効果をより確実に奏することができる。
【００１２】
前項（３）に記載の考案によれば、内ポケットは、その開口部がシャツ本体の上下寸法の１／３以下の領域内に位置する態様で設けられているから、前記（１）の効果をさらに確実に奏することができる。
【００１３】
前項（４）に記載の考案によれば、内ポケットの下端部は前身頃の裾近傍に位置しているから、長さの長い深型の内ポケットとすることができる。
【００１４】
前項（５）に記載の考案によれば、内ポケットを構成する布片は、シャツ本体よりも高強度であるから、安全性が高く、財布やパスポート等の貴重品を収容するのに好適である。
【００１５】
前項（６）に記載の考案によれば、布片がアラミド繊維により形成されているから、刃物による切損等に対して耐性のある布片となしえ、より安全性を確保することができる。
【００１６】
前項（７）に記載の考案によれば、内ポケットは、左右の幅よりも上下の長さが長い深型に設定されているから、縦長の携行品の収容に好適である。
【００１７】
前項（８）に記載の考案によれば、内ポケットの開口部は開閉自在となされているから、携行品の収容後は開口部を閉塞することで、より安全性を高めることができる。
【００１８】
前項（９）に記載の考案によれば、内ポケットは、左右の前身頃の均等位置にそれぞれ設けられているから、各内ポケットに携行品を収容することで左右の重量バランスが良くなり、着心地も向上する。
【００１９】
前項（１０）に記載の考案によれば、前記左右の前身頃の上下方向の中間位置を結着具により結着解除自在となされているから、左右の前身頃を閉じてあるいは閉じないでシャツを着ることができ、場面に応じた着こなしができる。
【考案を実施するための最良の形態】
【００２０】
次にこの考案の一実施形態を説明する。
【００２１】
図１はこの考案の一実施形態に係るシャツの正面図、図２は左側前身頃を裏面が見えるように開いた状態の正面図、図３は右側前身頃を裏面が見えるように開いた状態の正面図である。
【００２２】
これらの図に示すように、シャツ１は、シャツ本体２の前身頃が左側前身頃３と右側前身頃４に分割されたタイプのものであり、着衣時のユーザのウエスト部分に相当する上下方向の中央部分が、径小方向に絞られた作りとなっている。
【００２３】
前記左右の各前身頃３、４の表面の上下の位置には、それぞれ２個の外ポケット５、５が形成されるとともに、左右の各前身頃３、４の裏面の上下の位置にも、それぞれ２個の内ポケット６、７が形成されている。
【００２４】
前記各内ポケット６、７は、図４に下側のポケット７を例示してあるように、縦長形状の１枚の布片８の周端部をシャツ本体２に縫い付けて布片８の上部を開口したものであり、布片８とシャツ本体２とで内ポケット７、６が形成されている。また、前記開口部７１、６１は線ファスナー７２、６２により開閉自在となされている。従って、携行品の内ポケット７、６への収容後は開口部７１、６１を閉塞することで、より安全性を高めることができるものとなされている。なお、線ファスナー７２、６２に代えて、面ファスナー、ボタン、ホック等により開閉自在に構成されていても良い。
【００２５】
なお、内ポケット６、７は、上部に開口部が形成された袋状の布片をシャツ本体２に縫い付けることにより形成されても良い。
【００２６】
前記シャツ本体２は、綿、麻、ポリエステル繊維等、衣服素材として通常用いられる材料で形成されている。また、前記布片８は、容易に破損されないように、シャツ本体２の素材よりも高強度の材料で形成され安全性が高められており、財布やパスポート等の貴重品を安心して収容できるようになっている。布片８の材料の具体例として、刃物による切損等に対して耐性のあるアラミド繊維等を用いるのがよい。なお、航空機搭乗検査等を考慮して金属製の素材は使用しないことが望ましい。
【００２７】
前記下側の内ポケット７は、左右の前身頃３、４の裏面の下部に設けられればよい。下部に設けられることで、厚みのある携行品をこの下側の内ポケット７に入れても、シャツ１の胸回りがかさばって着心地が良くないといった不都合はないし、体裁の悪化もない。しかも、下側の内ポケット７に収容した携行品の重量により、シャツ１の全体が下方へ引っ張られるから、見栄えも良くなる。なお、上側の内ポケット６にはかさばらない携行品を収容すればよい。
【００２８】
好ましくは、下側の内ポケット７は、着衣時にはウエストよりも下方に位置するのがよい。このために、下側の内ポケット７の開口部７１がシャツ本体２の上下寸法Ｌの１／２以下、さらに望ましく１／３以下の領域内に位置する態様で設けられるのが良い。
【００２９】
また、この実施形態では、下側の内ポケット７はその下端部７３が前身頃３、４の裾３１、４１の近傍に位置するとともに、内ポケット７の上下の長さｌが左右の幅ｗよりも長い深型に設定され、財布、パスポート等の縦長の携行品の収容に好適なものとなされている。
【００３０】
前記各内ポケット６、７は、前述したように、その開口部がシャツ本体２（前身頃３、４）の裏側に開口しているから、シャツ１の外側に内ポケットの開口部６１、７１が露出しない。このため内ポケット６、７の位置を外ポケット５の位置とは無関係に設定することができ、内ポケット６、７の形成位置に関して選択の幅を拡げることができる。なお、この実施形態では、デザイン上、外ポケット５と内ポケット６、７が表裏の同位置に形成されている例を示しているが、内ポケット６、７の位置は外ポケット５の位置とは無関係に設定すればよい。
【００３１】
また、前身頃３、４の下部領域に形成された下側の内ポケット７は、少なくとも左右いずれか一方の前身頃３、４の裏面に少なくとも１つ設けられればよい。しかし、この実施形態のように、左右の前身頃３、４の均等位置にそれぞれ設けられている方が、各内ポケット７に携行品を収容することで左右の重量バランスが良くなり、着心地も向上する。
【００３２】
なお、上下の各内ポケット６、７の個数は、左右の前見頃３、４につきそれぞれ上下１個ずつに限定されることはなく、２個ずつあるいは小さめの内ポケットを３個以上設けても良い。
【００３３】
前記右側前見頃４の前立てには、上下に等間隔で複数個のボタン９が取り付けられる一方、左側前見頃３の前立てには、前記各ボタン９を通すボタン孔１０が等間隔で形成されている。これらのボタン９とボタン穴１０は、左右の前見頃３、４を閉じるための結着具として機能する。
【００３４】
このようなボタン９とボタン穴１０を設けることにより、着衣者は、左右の前身頃３、４のウエスト部分等をボタン９で留めることにより、ジャケット風の着こなしを楽しむことができる。内ポケット６、７に貴重品等を収容した場合は、左右の前身頃３、４をボタン９で留めることにより、安全性を確保でき、左右の前身頃３、４を気にすることなく両手の使用が可能となる。一方、ボタン９をかけることなく左右の前身頃３、４を閉じないでラフなスタイルを楽しむこともでき、場面に応じた着こなしが可能となる。
【００３５】
なお、左右の前見頃３、４を閉じるための結着具はボタン９とボタン穴１０に限定されることはなく、線ファスナー、ホック、ひも等で閉じるものとしても良い。
【図面の簡単な説明】
【００３６】
【図１】この考案の一実施形態に係るシャツの正面図である。
【図２】左側前身頃を裏面が見えるように開いた状態の正面図である。
【図３】右側前身頃を裏面が見えるように開いた状態の正面図である。
【図４】図２のＩＶ−ＩＶ線断面図である。
【符号の説明】
【００３７】
１    シャツ
２    シャツ本体
３    左側前見頃
４    右側前身頃
５    外ポケット
６    上側の内ポケット
７    下側の内ポケット
６１、７１  開口部
６２、７２  線ファスナー
８    布片
９    ボタン
１０  ボタン穴
【図１】
0003141705.tif 000003
【図２】
0003141705.tif 000004
【図３】
0003141705.tif 000005
【図４】
0003141705.tif 000006